(57)【特許請求の範囲】
【請求項１】
検査対象となる管体内に挿入される押し込みケーブルと、この押し込みケーブルの先端に同軸上に取付けられ前記押し込みケーブルの径とほぼ同じ径の筒状のカメラヘッドとを備えた管内検査装置であって、
前記押し込みケーブルの先端に取り付けられた前記カメラヘッドの後端の取付面部には前記カメラヘッドの径方向両側に軸方向に沿って開放する一対の取付け溝を有する一対の取付け金具を取付け、前記一対の取付け金具の前記一対の取付け溝には前記押し込みケーブルの径方向に対して湾曲した一対のガイド部材が前記カメラヘッドと前記押し込みケーブルの先端に跨って取付けられることを特徴とする管内検査装置。
【請求項２】
前記一対のガイド部材の厚さ寸法は前記押し込みケーブルと前記カメラヘッドの外形寸法とほぼ同じに設定されていて、
前記一対のガイド部材は、それぞれの側辺部の前記押し込みケーブルの軸方向に沿う中途部が前記一対の取付け金具の前記一対の取付け溝に着脱可能に挿入固定され、軸方向に沿う両端部分は前記カメラヘッドの外周面に接触する円弧状に形成されていることを特徴とする請求項１に記載の管内検査装置。
【請求項３】
前記一対の取付け金具は取付筒部径方向に拡がる鍔部を有し、この鍔部の間に前記一対の取付け溝を形成し、
前記一対のガイド部材は、前記取付け金具に取付けられる取付面を除く外周面が円弧状に形成されていることを特徴とする請求項１に記載の管内検査装置。
【請求項４】
前記一対のガイド部材の湾曲した湾曲面の湾曲度合（曲率半径）は、前記検査対象となる管体の内周面の湾曲度合（曲率半径）とほぼ同じに設定されていることを特徴とする請求項１に記載の管内検査装置。
【請求項５】
前記押し込みケーブルの先端部に筒状のコネクタ金具を被着し、このコネクタ金具の外周面の軸方向及び周方向の複数個所を径方向内方にかしめてカメラヘッドコネクタを構成した前記コネクタ金具を前記押し込みケーブルに取付け固定し、前記コネクタ金具の先端部に前記カメラヘッドを取付けることを特徴とする請求項１に記載の管内検査装置。
【請求項６】
前記一対のガイド部材は、前記径方向に対して湾曲した湾曲面の湾曲方向を逆向きにして前記取付け金具に取付可能であることを特徴とする請求項１乃至５のいずれか１項に記載の管内検査装置。
【請求項７】
前記カメラヘッドと前記押し込みケーブルを前記コネクタ金具を挟んで同軸上のロッド形状に構成し、前記カメラヘッドと前記コネクタ金具の一部を含んだ軸方向の領域に前記一対のガイド部材を取り付けたことを特徴とする請求項５に記載の管内検査装置。
【請求項８】
前記コネクタ金具は、前記押し込みケーブルの軸方向に対して等間隔で離間した複数の軸方向箇所を、各軸方向箇所において周方向に等間隔で離間した複数の周方向箇所でかしめられることを特徴とする請求項５に記載の管内検査装置。
【請求項９】
前記かしめは、前記コネクタ金具の外周面に対応させた半円筒状をなし、周方向にかしめ螺子を前記径方向内方に向け螺合した一対のパイプガイドと、前記パイプガイド相互を結合する結合部材とを具備したかしめ治具を用意し、前記コネクタ金具の外周面に前記一対のパイプガイドを被せ、前記パイプガイド相互を前記結合部材で結合して前記かしめ治具を前記コネクタ金具の外周面に被嵌し、前記かしめ螺子を前記径方向内方に締め付けて前記かしめ螺子の先端を前記コネクタ金具の外周面に押し当て、前記コネクタ金具の前記押し当て部を変形させて前記押し込みケーブルの外皮に食い込ませることにより行うことを特徴とする請求項５に記載の管内検査装置。
【請求項１０】
前記押し込みケーブルの先端部にカメラヘッドコネクタを構成する筒状のコネクタ金具の後端部を取付け固定し、このコネクタ金具の先端部に前記カメラヘッドを前記コネクタ金具の周方向に対する回転角度の位置決め調整可能に取付けるとともに、前記カメラヘッドにはこのカメラヘッドのトップ方向に対して周方向の回転位置を識別するための位置認識マークを設けたことを特徴とする請求項１に記載の管内検査装置。
【請求項１１】
前記位置認識マークは前記カメラヘッドの撮像面の天上方向に位置する外筐面に設けられていることを特徴とする請求項１０に記載の管内検査装置。
【請求項１２】
前記コネクタ金具のカメラヘッド取付面は同心円状の複数のコネクタ接触片を露出したコネクタ基板を具備し、前記カメラヘッドは撮像面と反対側のコネクタ接続面に前記複数のコネクタ接触片に対応して径方向に位置を違えた複数のコネクタ電極を具備して、前記周方向の任意の位置で位置決めされた前記複数のコネクタ接触片と対応する前記コネクタ電極とが接触していることを特徴とする請求項１０に記載の管内検査装置。
【請求項１３】
前記カメラヘッドは前記コネクタ接続面の周囲に嵌合筒を有し、前記コネクタ金具は前記カメラヘッド取付面の周囲に回転自在なカメラヘッド接続リングを有して、前記嵌合筒がカメラヘッド接続リングの内周面に螺嵌されることにより、前記カメラヘッドと前記コネクタ金具と前記押し込みケーブルが同心上に一体化されたロッドを構成していることを特徴とする請求項１２に記載の管内検査装置。
【請求項１４】
前記押し込みケーブルは前記カメラヘッドに接続される複数の信号線を有し、前記複数の信号線は編組シールドを介して耐熱性樹脂によって形成されたケーブル外皮によって被覆され、前記ケーブル外皮は高剛性樹脂によって形成された高剛性外皮によって被覆されていて、この高剛性外皮は滑沢性を有する絶縁外皮によって被覆されていることを特徴とする請求項１に記載の管内検査装置。
【請求項１５】
前記信号線を前記編組シールドを介して被覆した前記ケーブル外皮はフッ素樹脂（ＥＴＦＥ）によって形成され、前記ケーブル外皮を被覆した高剛性外皮を形成する前記高剛性外皮は炭素繊維強化樹脂（ＣＦＲＰ）によって形成され、前記絶縁外皮は高密度ポリエチレン（ＨＤ−ＰＥ）によって形成されていることを特徴とする請求項１４に記載の管内検査装置。
【請求項１６】
前記高剛性外皮は曲げ剛性４２Ｎ、許容曲げ半径６００ｍｍ以下のＦＲＰロッドを構成していることを特徴とする請求項１４または１５に記載の管内検査装置。
【請求項１７】
検査対象となる管体内に挿入される押し込みケーブルと、
前記押し込みケーブルの先端部の複数個所をかしめてカメラヘッドコネクタを構成したコネクタ金具と、
前記押し込みケーブルの先端の前記コネクタ金具に取付けられ、前記押し込みケーブルの径とほぼ同じ径の筒状のカメラヘッドと、
前記カメラヘッドの後端取付面部に取り付けられ、前記カメラヘッドの径方向両側に軸方向に沿って開放する一対の取付け溝を有する一対の取付け金具と、
前記一対の取付け金具の前記一対の取付け溝に取り付けられ、前記押し込みケーブルの径方向に対して湾曲した一対のガイド部材と、
を有することを特徴とする管内検査装置。
【請求項１８】
前記一対の取付け金具は、前記カメラヘッドと前記コネクタ金具の間の取付筒部の径方向に拡がる鍔部を有し、この鍔部の間に前記一対の取付け溝を形成していることを特徴とする請求項１７に記載の管内検査装置。
【請求項１９】
前記コネクタ金具の外周面の軸方向及び周方向の複数個所を径方向内方にかしめて、前記コネクタ金具を前記押し込みケーブルに取付け固定することを特徴とする請求項１７に記載の管内検査装置。
【請求項２０】
前記一対のガイド部材は、前記径方向に対して湾曲した湾曲面を面内方向と面外方向に向きを変えて、３種の形状のいずれかで前記取付け金具に取付可能であることを特徴とする請求項１７に記載の管内検査装置。
【請求項２１】
前記コネクタ金具のカメラヘッド取付面に設けられ、同心円状の複数のコネクタ接触片を露出したコネクタ基板と、
前記カメラヘッドの撮像面と反対側のコネクタ接続面に設けられ、前記複数のコネクタ接触片に対応して径方向に位置を違えた複数のコネクタ電極と、
を更に有し、
前記周方向の任意の位置で位置決めされた前記複数のコネクタ接触片と対応する前記コネクタ電極とが接触していることを特徴とする請求項１７に記載の管内検査装置。
【発明の詳細な説明】
【技術分野】
【０００１】
本発明は、押し込み型ハードケーブルを電纜管入線済み管路内に挿入して電纜管入線済み管路の内部を調査する長距離押し込み型ハードケーブルカメラシステムに適用して好適な管内検査装置に関する。
【背景技術】
【０００２】
従来、一定の剛性をもつ、押し込み型ハードケーブルまたは押し込みロッドと称される押し込みケーブルを電纜管入線済み管路内に挿入して電纜管入線済み管路の内部を調査する長距離押し込み型ハードケーブルカメラシステムにおいては、押し込みケーブルの先端にカメラヘッドを接着固定して設ける防水構造であった。
【０００３】
この種、長距離押し込み型ハードケーブルカメラシステムにおいては、電纜管入線済み埋設管路内において、電纜管と埋設管の隙間にカメラヘッドを押し込み操作する際、カメラヘッドにスキッド（skid）またはアダプタ（adapter）と称されるガイド部材を取り付け、カメラヘッドがスムーズに隙間内を進行するようにしている。
【０００４】
このガイド部材を取り付けたカメラ技術として、ケーブルと接触する板面の１点と管路内壁と接触可能な周辺部の２点との３点による点接触が可能なロッド挿入治具が存在した（特許文献１）。
【先行技術文献】
【特許文献】
【０００５】
【特許文献１】特開平０７−２１８４４４号公報
【発明の概要】
【発明が解決しようとする課題】
【０００６】
しかしながら、上記したガイド機構は、３点支持であることから、カメラヘッドを管路内の隙間に押し込み操作した際、３点のいずれかで引っ掛かりが生じると前進が阻害され、その都度、ケーブルの押し込み操作と引き抜き操作を繰り返し行わなければならないことから、押し込み操作の作業性に問題があった。
【０００７】
本発明は上記実情に鑑みなされたもので、押し込みケーブルの押し込み操作性の向上が図れる管内検査装置を提供することを目的とする。
【課題を解決するための手段】
【０００８】
本発明は、検査対象となる管体内に挿入される押し込みケーブルと、この押し込みケーブルの先端に同軸上に取付けられ前記押し込みケーブルの径とほぼ同じ径の筒状のカメラヘッドとを備えた管内検査装置であって、前記押し込みケーブルの先端に取り付けられた前記カメラヘッドの後端の取付面部には前記カメラヘッドの径方向両側に軸方向に沿って開放する一対の取付け溝を有する一対の取付け金具を取付け、前記一対の取付け金具の前記一対の取付け溝には前記押し込みケーブルの径方向に対して湾曲した一対のガイド部材が前記カメラヘッドと前記押し込みケーブルの先端に跨って取付けられることを特徴とする。
【発明の効果】
【０００９】
本発明によれば、カメラヘッドの径方向両側に軸方向に沿って開放する一対の取付け溝を有する取付け金具を取付け、この取付け金具の一対の取付け溝に、押し込みケーブルの径方向に対して湾曲した一対のガイド部材を取付け、管内をガイド部材の湾曲面が摺動してカメラヘッドを押し込み方向に案内する構成としたことにより、押し込みケーブルの押し込み操作を円滑に行うことができる。
【図面の簡単な説明】
【００１０】
【図１】本発明の実施形態に係る管内検査装置の全体の構成を示す図。
【図２】上記管内検査装置に用いられるコネクタ金具のかしめ用スペースを示す図。
【図３】上記コネクタ金具のかしめ状態を示す断面図。
【図４】上記コネクタ金具の先端面に形成されるコネクタ接続面を示す平面図。
【図５】上記コネクタ金具のかしめに使用するかしめ治具の構成例を示す正面図。
【図６】上記かしめ治具の構成例を示す側断面図。
【図７】上記コネクタ金具を押し込み型ハードケーブル（押し込みロッド）の先端に取り付けた状態を示す側面図。
【図８】上記押し込み型ハードケーブル（押し込みロッド）の構造を示す断面図。
【図９】上記カメラヘッドのコネクタ接続部の構成を示す斜視図。
【図１０】上記カメラヘッドのトップ方向アジャスト構造を示す斜視図。
【図１１】上記実施形態に用いられるスキッド（ガイド部材）の取付構造を示す斜視図。
【図１２】上記スキッドの取付構造を示す図１１のｘ−ｘ線に沿う断面図。
【図１３】上記カメラヘッドにスキッドを取り付けた状態を示す図。
【発明を実施するための形態】
【００１１】
以下図面を参照して本発明の実施形態を説明する。
【００１２】
本発明の実施形態に係る管内検査装置の構成を図１に示している。
【００１３】
本発明の実施形態に係る管内検査装置は、図１に示すように、ケーブルドラム１１に巻装された、後述する一定の曲げ剛性をもつ、押し込み型ハードケーブルまたは押し込みロッドまたはカメラケーブルと称される押し込みケーブル１２と、ケーブルドラム１１から繰り出される押し込みケーブル１２の先端部に設けられたカメラヘッドコネクタ１３と、カメラヘッドコネクタ１３に接続されたカメラヘッド１４とを具備して構成されている。押し込みケーブル１２とカメラヘッドコネクタ１３とカメラヘッド１４はそれぞれ同軸上に一体結合されたロッド形状で検査作業員により埋設管５内に挿入され引き抜かれる。カメラヘッド１４には、カメラヘッド１４が埋設管５と埋設管５内に入線済みの電纜管７との隙間を円滑に滑動して進行するように、後述するスキッド（skid）またはアダプタ（adapter）と称されるガイド部材５１が必要に応じて取り付けられる。
【００１４】
ケーブルドラム１１は、検査対象管となる埋設管５内へのケーブル挿通口４となる、例えばマンホールまたはハンドホール等が近傍位置に存在する作業帯内に、アジァスタボルト１１ａにより固定された状態で設置される。ケーブルドラム１１の繰り出し／巻き取り部には、押し込みケーブル１２の繰り出し量を計測するケーブル長センサ１１ｂが設けられ、ケーブルドラム１１に巻装された押し込みケーブル１２の基端側から導出されたドラム−機器間接続ケーブル１１ｃにはモニタ付のカメラ制御器６が接続される。カメラ制御器６には制御器−管口モニタ間接続ケーブル１１ｄを介して管口用モニタ６ａが接続されるとともに電源ケーブル６ｂ，ＡＣアダプタケーブル６ｃ、接地用アース線１１ｅ等が接続される。
【００１５】
ケーブルドラム１１には一定の曲げ剛性並びに許容曲げ半径等が規定された所定長（例えば２５０ｍ）の後述する押し込みケーブル１２が巻装され、必要量に応じてケーブルドラム１１から繰り出される。このケーブル繰り出し量がケーブル長センサ１１ｂにより計測され、その計測値がドラム−機器間接続ケーブル１１ｃを介してカメラ制御器６に入力される。また、制御器−管口モニタ間接続ケーブル１１ｄを介して管口用モニタ６ａに出力される。
【００１６】
押し込みケーブル１２は、例えば電纜管７が入線済みの埋設管５の管路内に挿入されるもので、外皮が滑沢性を有する樹脂（例えば高密度ポリエチレン）により構成され、一定の曲げ剛性（例えば４２Ｎ）および許容曲げ半径（例えば６００mm以下）が規定されている。この押し込みケーブル１２の構造については図８を参照して後述する。
【００１７】
カメラヘッドコネクタ１３は、図２および図３に示す筒状のコネクタ金具２１により構成される。このコネクタ金具２１は、筒状のステンレス鋼を用いた水中形防水構造であり、ケーブルドラム１１から繰り出された押し込みケーブル１２の先端部にかしめ固定されるもので、押し込みケーブル１２に対して強固な引っ張り力に耐える、後述するかしめ構造で押し込みケーブル１２に被着される。なお、筒状のカメラヘッドコネクタ１３に嵌挿された押し込みケーブル１２とカメラヘッドコネクタ１３内壁との間（Ａ１）には、シリコン塗布による防水加工が施される。
【００１８】
上記コネクタ金具２１のかしめ用スペースを図２に示し、同コネクタ金具２１のかしめ状態を図３に示している。ここでは、コネクタ金具２１の外周面の軸方向及び周方向の複数個所（各６箇所）を径方向内方にかしめてコネクタ金具２１を押し込みケーブル１２に取付け固定し、コネクタ金具２１の先端部にカメラヘッド１４をコネクタ接続リングの螺合結合により取付ける構造としている。
【００１９】
コネクタ金具２１は、押し込みケーブル１２の押し込み方向に対して、先端側に、コネクタ筐体部２１ａを構成し、後端側に、かしめ用筐体部２１ｂを構成している。筒状のコネクタ筐体部２１ａには、同筐体部内に、押し込みケーブル１２のコアケーブルとなる芯線（信号ケーブル）に配線された同心円を描くリング形状の複数のコネクタ接触片（図４に示す符号２２ａ，２２ｂ，２２ｃ参照）を前面に露出して形成した円形のコネクタ基板２２が配線ブロック２３で仕切られて設けられ、筐体の外周部に、コネクタナット（カメラヘッド接続リング）２４、ストッパーリング２５、防水用Ｏリング２６等が設けられている。コネクタ基板２２の前面（表面）には、図４に示すように、同電極に接触する同心円状の複数のコネクタ接触片２２ａ，２２ｂ，２２ｃが後述する図９に示すカメラヘッド１４のコネクタ電極Ｔ１，Ｔ２，Ｔ３に対応して設けられている。コネクタ基板２２の後面（裏面）には、図３に示すようにコネクタ筐体部２１ａにおいて押し込みケーブル１２の高剛性外皮および絶縁外皮が剥離され芯線（コアケーブル）の各導電線が例えば半田付けにより配線接続されている。
【００２０】
かしめ用筐体部２１ｂには、軸方向に一定の間隔でかしめ用スペース（６箇所）２１ｓが設けられ、この各かしめ用スペース２１ｓの周方向の複数個所（６箇所）に、それぞれ、筐体（金具）を変形させた、かしめ固定部２１ｐが設けられる。このかしめ固定部２１ｐによるかしめ固定は、例えば図５および図６に示すかしめ治具３０を用いることにより、かしめ作業を効率よく高い精度で行うことができる。図５および図６に示すかしめ治具３０は、コネクタ金具２１の外周面に対応させた半円筒状をなし、周方向にかしめ螺子３２を径方向内方に向け螺合した一対のパイプガイド３１ａ，３１ｂと、パイプガイド３１ａ，３１ｂ相互を結合する結合部材３３とを具備して構成される。かしめ作業は、コネクタ金具２１（かしめ用筐体部２１ｂ）の外周面に一対のパイプガイド３１ａ，３１ｂを被せ、パイプガイド３１ａ，３１ｂ相互を結合部材３３で結合して、かしめ治具３０をコネクタ金具２１（かしめ用筐体部２１ｂ）の外周面に被嵌し、かしめ螺子３２を径方向内方に締め付けて、かしめ螺子３２の先端をコネクタ金具２１（かしめ用筐体部２１ｂ）の外周面に押し当て、コネクタ金具２１（かしめ用筐体部２１ｂ）の押し当て部を変形させて押し込みケーブル１２の外皮に食い込ませることにより行う。この例では、かしめ螺子３２の操作孔３２ｈに操作棒を緩挿して、かしめ用筐体部２１ｂに当接させた後、所定回数、径方向内方に締め付けを行うことで、適度な食い込み量のかしめが可能となる。このかしめ作業を３本のかしめ螺子３２の締め付けで行った後、かしめ治具３０をコネクタ金具２１の周方向に６０°回動させて、３本のかしめ螺子３２の締め付けを繰り返し行う（１）〜（２）。これにより、コネクタ金具２１には、図７に示すように、かしめ用筐体部２１ｂに、外周面の軸方向及び周方向に一定の間隔で６×６＝３６個のかしめ部２１ｐが形成される。すなわち、一定間隔の３６個のかしめで、外部に露出する外皮が滑沢性を有した押し込みケーブル１２の外皮にコネクタ金具２１がかしめ固定される。このかしめ固定により、実機においては、絶縁外皮に高密度ポリエチレン（ＨＤ−ＰＥ）を用いた滑沢性を有する１２mm径の押し込みケーブル１２に対して６×５５０Ｎ＝３３００Ｎの引張り強度を実現した。
【００２１】
押し込みケーブル１２の先端部にかしめ固定された、カメラヘッドコネクタ１３を構成するコネクタ金具２１には、その外周部と、周方向に回転自在に設けられたカメラヘッド接続リング２４に、それぞれ、カメラヘッド取付・取り外し用のレンチ（図１０に示す符号ＷＲ参照）に係合する係合溝ｕ１，ｕ２が設けられている。このレンチ（ＷＲ）を用いて、押し込みケーブル１２の押し込み方向に対し、常にカメラヘッド１４のトップ方向（撮像面の天上方向）を周方向に位置調整したカメラヘッド１４の取着が可能となる。このカメラヘッド１４の周方向の位置調整については図９および図１０を参照して後述する。
【００２２】
また、押し込みケーブル１２の先端部に押し込みケーブル１２とほぼ同径の筒状のカメラヘッドコネクタ１３を被嵌し、カメラヘッドコネクタ１３を押し込みケーブル１２にかしめ固定して、このカメラヘッドコネクタ１３にカメラヘッド１４を取着するロッド構造としたことにより、カメラヘッド１４の筒状筐体の径を押し込みケーブル１２の径とほぼ同等とすることで押し込みケーブル１２とカメラヘッド１４とが同心上に一体化されたロッド形状とすることができ、これによりカメラヘッド１４の埋設管５に対する押し込み操作性並びに引き抜き操作性を著しく向上させることができる。
【００２３】
カメラヘッドコネクタ１３を構成するコネクタ金具２１がかしめ固定された押し込みケーブル１２は、図８に示すように、束線された複数の信号線１２１，１２２，１２３が、編組シールド１２４を介してケーブル外皮１２５に被覆され、ケーブル外皮１２５が高剛性外皮１２６に被覆され、さらにこの高剛性外皮１２６が絶縁外皮１２７に被覆された被覆構造としている。軸心側にある複数の信号線１２１，１２２，１２３は、例えば映像伝送用の同軸ケーブル（Ｚ＝５０Ω）と電源ケーブルおよび信号ケーブル（軟銅線）が押さえ巻きテープ（ポリエステルテープ）で束線（押さえ巻き）され、編組シールド１２４に被覆されてコアケーブルを構成している。編組シールド１２４に被覆されたケーブル外皮１２５は、編組シールドされた信号線１２１，１２２，１２３を高剛性外皮１２６の被覆加工における熱の影響から保護するための芯線（ケーブル）保護用の被覆層であり、例えば２００℃の高温に耐えるフッ素樹脂（ＥＴＦＥ）により形成している。このケーブル保護用の被覆層となるケーブル外皮１２５を介在して高剛性外皮１２６が被覆される。この高剛性外皮１２６は、炭素繊維強化樹脂（ＣＦＲＰ）により構成され、ＣＦＲＰ単体で曲げ剛性４２Ｎ、許容曲げ半径６００mm以下のＦＲＰロッドを構成している。ＣＦＲＰ構成の高剛性外皮１２６に、外装用の外皮として滑沢性を有する高密度ポリエチレン（ＨＤ−ＰＥ）を用いた絶縁外皮１２７が被覆される。因みに、信号線１２１，１２２，１２３を内装した編組シールド１２４に被覆されたケーブル外皮１２５（コアケーブル）の仕上がり外径は４．７mm、ケーブル外皮１２５に被覆された高剛性外皮（ＣＦＲＰ）１２６の仕上がり外径は１０mm、高剛性外皮（ＣＦＲＰ）１２６に被覆された、外周面が外部露出する絶縁外皮（ＨＤ−ＰＥ）１２７の仕上がり外径（すなわち押し込みケーブル１２の径）は１２mmである。このような押し込みケーブル（ロッド）構造としたことで、当該押し込みケーブル１２と同等の特性およびコアケーブルを有した既知の押し込みケーブルに対して単位長当たりの重量を大幅に軽量化できた。実測では既知ケーブルの［２００ｇ／ｍ］に対して［１４７．２ｇ／ｍ］とすることができた。この押し込みケーブル１２の軽量化により、カメラヘッド１４の埋設管５に対する押し込み操作性並びに引き抜き操作性をより向上させることができる。因みに現在使用している既知ケーブルは、信号線を内在したステンレスパイプと同パイプを被覆したガラス繊維外皮（ＧＦＲＰ）と同外皮を被覆した高剛性外皮（ＣＦＲＰ）と同外皮を被覆した絶縁外皮（ＡＡＳ樹脂）とにより構成されている。
【００２４】
この外部に露出したＨＤ−ＰＥによる絶縁外皮１２７は、その表面がすべすべした滑面を形成していることから、ケーブルの繰り出し側先端にカメラヘッドを接着固定することが困難であり、また、締め付けによる固定構造とした場合は、締め付け強度の高い固定部材が必要となることから、カメラヘッド全体の構造が大型かつ重量化する。そこでこの発明の実施形態では、上述したようにＨＤ−ＰＥで構成された絶縁外皮１２７に、カメラヘッドをかしめ固定手段を用いて取着する構造とした。
【００２５】
上記した構造の押し込みケーブル１２のカメラヘッドコネクタ１３に嵌挿された部分は、図２に示すコネクタ金具２１のコネクタ筐体部２１ａにおいて、図３に示すように、コアケーブル（１２１〜１２４）の外周に被覆された高剛性外皮（ＣＦＲＰ）１２６と絶縁外皮（ＨＤ−ＰＥ）１２７が剥離され、コアケーブルの各導電線がコネクタ基板２２の裏面にコネクタ配線され、表面のコネクタ接触片２２ａ，２２ｂ，２２ｃに導電接続される。
【００２６】
押し込みケーブル１２の先端部分に取着されたカメラヘッド１４は、ケーブルドラム１１から繰り出されて埋設管５内に案内される方向に応じてカメラヘッド１４の撮像面のトップ方向を押し込みケーブル１２に対して周方向に調整する必要がある。例えば、ケーブルドラム１１から繰り出されて埋設管５内に案内される押し込みケーブル１２が繰り出し方向と同方向に案内される場合と、繰り出し方向とは反対の方向（ケーブル引き戻し方向）に案内される場合とではカメラヘッド１４のトップ方向（撮像面の天上方向）が逆になり、モニタ画面における画面の上下と整合しない状態になる。この整合を保つためには、検査作業の開始にあたってカメラヘッド１４のトップ方向の調整作業が必要になり、この調整を可能にする機構が必要となる。
【００２７】
カメラヘッド１４は、図１０に示すように、押し込みケーブル１２とほぼ同径の筒形に構成され、軸方向の一端（前端）を撮像面部とし、他端（後端）を取付面部として密閉された筒形筐体を構成している。撮像面部には、図１３（ｃ）に示すように、撮像レンズ１４ａの周囲に、複数の照明用発光素子１４Ｌを設けている。取付面部には、図９に示すように、嵌合筒１４ｂで囲まれたコネクタ接合面１４ｃに、カメラヘッドコネクタ１３に設けられたコネクタ基板２２のコネクタ接触片２２ａ，２２ｂ，２２ｃに対応して、径方向に位置を違えたコネクタ電極Ｔ１，Ｔ２，Ｔ３が設けられている。この同心円状のコネクタ接触片２２ａ，２２ｂ，２２ｃと径方向に位置を違えたコネクタ電極Ｔ１，Ｔ２，Ｔ３とにより、カメラヘッドコネクタ１３に対してカメラヘッド１４を接続状態を維持した状態で任意に回動可能にしている。嵌合筒１４ｂの外周面には、カメラヘッドコネクタ１３を構成するコネクタ金具２１に設けられたカメラヘッド接続リング２４の内周面に螺刻された螺刻部に螺合する螺刻部１４ｄが螺刻されている。またカメラヘッド１４の外筐には、カメラヘッド１４の上面（撮像面の天上方向）に、カメラヘッド１４の周方向の回転位置を識別するための位置認識マークが設けられている。ここでは、筒状のカメラヘッド１４の外筐に、図１０に示すように、撮像面の天上方向を示すトップマーク１４Ｍが刻設されている。
【００２８】
押し込みケーブル１２の先端部にかしめ固定された、カメラヘッドコネクタ１３を構成するコネクタ金具２１には、図７に示すように、コネクタ金具２１（コネクタ筐体部２１ａ）の外周部と、周方向に回転自在に設けられたカメラヘッド接続リング２４のそれぞれに、カメラヘッド１４を取着するためのレンチに係合する係合溝ｕ１，ｕ２が設けられている。
【００２９】
カメラヘッド１４をカメラヘッドコネクタ１３を介して押し込みケーブル１２に取着する際は、カメラヘッド１４の嵌合筒１４ｂをコネクタ金具２１に設けられたカメラヘッド接続リング２４内に嵌め込み、カメラヘッド取付・取り外し用のレンチＷＲを係合溝ｕ１，ｕ２に係合して、レンチＷＲによりコネクタ金具２１に対しカメラヘッド接続リング２４を締め付け方向に回転させることにより、カメラヘッド１４がカメラヘッドコネクタ１３に一体に取着される。この際、押し込みケーブル１２の繰り出し方向に応じて、カメラヘッド１４のトップマーク１４Ｍが埋設管５内において上向きとなるようにカメラヘッド１４をカメラヘッドコネクタ１３に取着する。
【００３０】
カメラヘッドコネクタ１３を介して押し込みケーブル１２に一体に取着されたカメラヘッド１４を電纜管入線済みの埋設管５内に挿入して、埋設管５の内部を調査する場合、カメラヘッド１４が埋設管５と埋設管５内に入線済みの電纜管７との隙間を円滑に滑動して進行するように、カメラヘッド１４にスキッド（skid）またはアダプタ（adapter）と称されるガイド部材５１が必要に応じて取り付けられる。このガイド部材をここではスキッドと呼称する。このスキッドの構造を図１１乃至図１３に示している。
【００３１】
スキッド５１は、図１１乃至図１３に示すように、一対のスキッド取付金具５５ａ，５５ｂと、このスキッド取付金具５５ａ，５５ｂに取り付けられる一対のスキッド片５１ａ，５１ｂとにより構成されている。一対のスキッド片５１ａ，５１ｂは合成樹脂により構成されている。なお、図１２は図１１のｘ−ｘ線に沿う断面図であり、図１３において（ａ）は平面図、（ｂ）は側面図、（ｃ）は前面図である。
【００３２】
一対のスキッド片５１ａ，５１ｂはそれぞれカメラヘッドコネクタ１３とカメラヘッド１４に跨る取付筒部に取付けられた状態において、カメラヘッドコネクタ１３（カメラヘッド１４）の径方向に対して湾曲した形状をなし、その外周面が円弧状の凸面に形成されている。一対のスキッド取付金具５５ａ，５５ｂは取付筒部径方向に拡がる鍔部（ｂｒ）を有し、この鍔部（ｂｒ）の間にスキッド片狭持面を構成する取付け溝（ｄ）を形成している。このスキッド取付金具５５ａ，５５ｂの取付け溝（ｄ）に、スキッド片５１ａ，５１ｂの取付部（ｃｃ）を挟み込み、一対のスキッド取付金具５５ａ，５５ｂを互いに近接する方向にドライバ（ＤＲ）で螺子締め加工するより、スキッド片５１ａ，５１ｂの各取付部（ｃｃ）がそれぞれ取付け溝（ｄ）に狭持され、図１３（ａ）および図１３（ｂ）に示すように、スキッド５１がカメラヘッド１４に固定される。因みに図中のａの寸法は略１３０mm、ｂの寸法は略７０mm、ｃの寸法は略１６mmである。このスキッド５１を取着したカメラヘッド１４が電纜管７入線済みの埋設管５内に押し込まれた状態を図１３（ｃ）に示している。スキッド５１の湾曲度合（曲率半径）は、検査対象となる管体（埋設管５）の内周面の湾曲度合（曲率半径）とほぼ同じに設定されている。電纜管７には電源ケーブルが配設されている。カメラヘッド１４には、撮像レンズ１４ａの周囲に、検査対象となる管内の前方を照明する計８個の白色ＬＥＤ素子が設けられている。
【００３３】
上記したスキッド構造は、カメラヘッド１４の径方向両側に軸方向に沿って開放する一対の取付け溝を有する一対のスキッド取付金具５５ａ，５５ｂを取付け、この一対のスキッド取付金具５５ａ，５５ｂの一対の取付け溝（ｄ）に、押し込みケーブル１２（カメラヘッド１４）の径方向に対して湾曲した一対のスキッド片５１ａ，５１ｂを取付け、埋設管５内をスキッド片５１ａ，５１ｂの湾曲面が摺動してカメラヘッド１４をケーブル押し込み方向に案内する構造としていることから、ケーブル押し込み時におけるスキッド５１の引っ掛かりを抑制して押し込みケーブルの押し込み操作を円滑に行うことができる。
【００３４】
上記した一対のスキッド片５１ａ，５１ｂは、カメラヘッド１４の径方向に対して湾曲した湾曲面を面内方向と面外方向に向きを違えて一対のスキッド取付金具５５ａ，５５ｂに取付可能である。すなわち上記したスキッド５１は、図１２（ａ）に示す形状に対して、スキッド片５１ａ，５１ｂの片方を裏返す（径方向に対して湾曲した湾曲面の向きを逆向きにする）ことで図１２（ｂ）に示す波形の形状に変化し（平面形状は若干変形する）、スキッド片５１ａ，５１ｂの双方を裏返すことで逆方向に湾曲した形状とすることができる。これら３種の形状の中から管内の隙間に合わせた適当な寸法形状にスキッド５１を組み立てることで、寸法の異なる複数形状のスキッドを用意することなく押し込み操作による管内検査を円滑に効率よく実施できる。
【００３５】
このように、カメラヘッド１４の径方向に対して湾曲した形状をなし、その外周面が円弧状の凸面に形成されたスキッド５１をカメラヘッド１４に取着して、電纜管入線済み管路となる埋設管５の内部を調査することにより、スキッド５１が径方向に対して湾曲した（埋設管５の内径に沿う）湾曲面を有することから、埋設管５の隙間に挿入されたカメラヘッド１４の押し込み方向への進行ガイドをスムーズに行うことができ、長距離押し込み型ハードケーブル（押し込みケーブル１２）の押し込み操作による管内検査を円滑に効率よく実施できる。また、カメラヘッド１４がケーブルドラム１１に着脱可能に設けられていることから、システムの取り扱いが容易であり、カメラヘッド１４の損傷、破損を回避した安全性の高い管内検査システムを提供できるとともに、同システムの設定並びに移動作業を簡易に行うことができる。
【００３６】
また、上記実施形態は、検査対象となる管体内に挿入される押し込みケーブルと、この押し込みケーブルの先端に取付けられ前記管体内を撮像するカメラヘッドとの取付け構造であって、前記押し込みケーブルの先端部に筒状のコネクタ金具の後端部を被着し、このコネクタ金具の外周面の軸方向及び周方向の複数個所を径方向内方にかしめて前記コネクタ金具を前記押し込みケーブルに取付け固定し、前記コネクタ金具の先端部に前記カメラヘッドを取付けた管内検査装置におけるカメラヘッドの取付け構造を実現している。このカメラヘッドの取付け構造において、前記コネクタ金具は、前記押し込みケーブルの軸方向に対して等間隔で離間した複数の軸方向箇所を、各軸方向箇所において周方向に等間隔で離間した複数の周方向箇所でかしめられる。また、上記実施形態は、検査対象となる管体内に挿入される押し込みケーブルと、この押し込みケーブルの先端に取付けられ前記管体内を撮像するカメラヘッドとの取付け方法であって、前記押し込みケーブルの先端部に筒状のコネクタ金具の後端部を被着する工程と、前記コネクタ金具の外周面の軸方向及び周方向の複数個所を径方向内方にかしめて前記コネクタ金具を前記押し込みケーブルに取付け固定する工程と、前記コネクタ金具の先端部に前記カメラヘッドを取付ける工程とを具備したカメラヘッドの取付け方法を実現している。このカメラヘッドの取付け方法において、前記かしめは、前記コネクタ金具の外周面に対応させた半円筒状をなし、周方向にかしめ螺子を前記径方向内方に向け螺合した一対のパイプガイドと、前記パイプガイド相互を結合する結合部材とを具備したかしめ治具を用意し、前記コネクタ金具の外周面に前記一対のパイプガイドを被せ、前記パイプガイド相互を前記結合部材で結合して前記かしめ治具を前記コネクタ金具の外周面に被嵌し、前記かしめ螺子を前記径方向内方に締め付けて前記かしめ螺子の先端を前記コネクタ金具の外周面に押し当て、前記コネクタ金具の前記押し当て部を変形させて前記押し込みケーブルの外皮に食い込ませることにより行っている。
【００３７】
このカメラヘッドの取付け構造および取付け方法によれば、滑沢性を有する押し込みケーブルの先端にカメラヘッドコネクタ金具をかしめ固定した構造により、カメラヘッドの小型軽量化並びに押し込み型ハードケーブルの押し込み操作性の向上が図れる。またカメラヘッドを押し込みケーブルに対して着脱自在なコネクタ接続構造としたことにより、カメラヘッドの損傷を回避した安全性の高い管内検査装置を提供することができる。
【００３８】
また、上記実施形態は、検査対象となる管体内に挿入される押し込みケーブルと、この押し込みケーブルの先端に取付けられ前記管体内を撮像するカメラヘッドとの取付け構造であって、前記押し込みケーブルの先端部に筒状のコネクタ金具の後端部を取付け固定し、このコネクタ金具の先端部に前記カメラヘッドを前記コネクタ金具の周方向に対する回転角度の位置決め調整可能に取付けるとともに、前記カメラヘッドにはこのカメラヘッドのトップ方向に対して周方向の回転位置を識別するための位置認識マークを設けたことを特徴とする管内検査装置におけるカメラヘッドの取付け構造を実現している。このカメラヘッドの取付け構造において、前記位置認識マークは前記カメラヘッドの撮像面の天上方向に位置する外筐面に設けられている。前記コネクタ金具のカメラヘッド取付面は同心円状の複数のコネクタ接触片を前記カメラヘッド取付面に露出したコネクタ基板を具備し、前記カメラヘッドは撮像面と反対側のコネクタ接続面に前記複数のコネクタ接触片に対応して径方向に位置を違えた複数のコネクタ電極を具備して、前記周方向に位置決め調整された任意の調整位置で前記複数のコネクタ接触片がこのコネクタ接触片に対応する前記コネクタ電極に接触している。前記カメラヘッドは前記押し込みケーブルの径とほぼ同径の筒形密閉構造をなし、検査対象となる管内の前方を照明する複数個のＬＥＤ素子が撮像レンズの周囲に内装されている。前記カメラヘッドは前記コネクタ接続面の周囲に嵌合筒を有し、前記コネクタ金具は前記カメラヘッド取付面の周囲に回転自在なカメラヘッド接続リングを有して、前記嵌合筒がカメラヘッド接続リングの内周面に螺嵌されることにより、前記カメラヘッドと前記コネクタ金具と前記押し込みケーブルが同心上に一体化されたロッドを構成している。
【００３９】
このカメラヘッドの取付け構造によれば、カメラヘッドの周方向への回動位置調整が容易に行える、カメラヘッドを押し込みケーブルに対して着脱自在なコネクタ接続構造としたことにより、カメラヘッドの周方向への回動位置調整を容易に可能にしたカメラヘッドとカメラヘッドコネクタと押し込みケーブルを同軸上に一体結合したロッド形状の長距離押し込み型ハードケーブルカメラを実現できる。
【００４０】
また、上記実施形態は、検査対象となる管体内に挿入される押し込みケーブルと、この押し込みケーブルの先端に取付けられ前記管体内を撮像するカメラヘッドとを備えた管内検査装置であって、前記押し込みケーブルは前記カメラヘッドに接続される複数の信号線を有し、前記複数の信号線は編組シールドを介して耐熱性樹脂によって形成されたケーブル外皮によって被覆され、前記ケーブル外皮は高剛性樹脂によって形成された高剛性外皮によって被覆されていて、この高剛性外皮は滑沢性を有する絶縁外皮によって被覆されている管内検査装置を実現している。この管内検査装置において、前記信号線を前記編組シールドを介して被覆した前記ケーブル外皮はフッ素樹脂（ＥＴＦＥ）によって形成され、前記ケーブル外皮を被覆した高剛性外皮を形成する前記高剛性外皮は炭素繊維強化樹脂（ＣＦＲＰ）によって形成され、前記絶縁外皮は高密度ポリエチレン（ＨＤ−ＰＥ）によって形成されている。前記押し込みケーブルは、ケーブルドラムに巻装され、繰り出し方向先端に前記カメラヘッドを取着するカメラヘッドコネクタが一体に設けられている。前記カメラヘッドコネクタは前記押し込みケーブルの先端部分が嵌挿される、前記カメラヘッドとほぼ同径の筒状部を有するコネクタ金具により構成され、前記筒状部に嵌挿された前記押し込みケーブルに対し前記筒状部が前記筒状部の外周面の軸方向及び周方向の複数個所で径方向内方にかしめられて前記コネクタ金具が前記押し込みケーブルにかしめ固定されている。前記カメラヘッドを取着した前記カメラヘッドコネクタと前記カメラヘッドコネクタがかしめ固定された前記押し込みケーブルとを同軸上に一体結合して押し込みロッドを構成している。前記カメラヘッドは前記押し込みケーブルに対して前記押し込みケーブルの周方向に位置調整可能に前記カメラヘッドコネクタにコネクタ接続されている。前記前記高剛性外皮は曲げ剛性４２Ｎ、許容曲げ半径６００mm以下のＦＲＰロッドを構成している。
【００４１】
この管内検査装置によれば、滑沢性を有する押し込みケーブルの先端にカメラヘッドコネクタ金具をかしめ固定することで、滑沢性を有する軽量化されたハードケーブルを適用した、軽量でかつ押し込み操作性のよい管内検査装置が提供できる。
【００４２】
なお、本発明の各構成要素は上記した実施形態の形状、構造等に係わらず本発明の要旨を逸脱しない範囲で種々変形、変更可能である。
【符号の説明】
【００４３】
１１…ケーブルドラム、１２…押し込みケーブル、１３…カメラヘッドコネクタ、１４…カメラヘッド、２１…コネクタ金具、２１ｐ…かしめ固定部、２２…コネクタ基板、２４…コネクタナット（カメラヘッド接続リング）、３０…かしめ治具、５１…スキッド、５１ａ，５１ｂ…スキッド片（ガイド部材）、５５ａ，５５ｂ…スキッド取付金具。
【図１】
0005504217.tif 000002
【図２】
0005504217.tif 000003
【図３】
0005504217.tif 000004
【図４】
0005504217.tif 000005
【図５】
0005504217.tif 000006
【図６】
0005504217.tif 000007
【図７】
0005504217.tif 000008
【図８】
0005504217.tif 000009
【図９】
0005504217.tif 000010
【図１０】
0005504217.tif 000011
【図１１】
0005504217.tif 000012
【図１２】
0005504217.tif 000013
【図１３】
0005504217.tif 000014